(57)【要約】【課題】  複数挿入口を有するＩＣカード用リーダラライタ装置、ＳＩＭ用リーダラライタ装置等を提供する。これにより、ＩＣカードやＳＩＭに対する情報書き込みやテスト試験の効率を図ることができる。【解決手段】  本発明の接触型ＩＣカード用リーダライタ装置１０は、２以上の接触型ＩＣカード１を同時に装着可能とする複数の挿入口１１を有するＩＣカード用リーダライタ装置であって、装着した複数のＩＣカードの中で、読み書き操作を行うＩＣカードを選択し、コンピュータからの信号を受けて当該ＩＣカードに情報を書き込みし、また当該ＩＣカードから読み出した情報をコンピュータに送信することを特徴とする。ＳＩＭ用リーダライタ装置は、同様に２以上の挿入口を有することを特徴とする。本発明のＳＩＭリーダライタ用ソケットは、２以上の接触型ＳＩＭリーダライタを同時に装着可能とする複数のＵＳＢコネクタ挿入口を有していることを特徴とする。【選択図】    図２
2006235892.tif 000002
【特許請求の範囲】
【請求項１】
２以上の接触型ＩＣカードを同時に装着可能とする複数の挿入口を有するＩＣカード用リーダライタ装置であって、装着した複数のＩＣカードの中で、読み書き操作を行うＩＣカードを選択し、コンピュータからの信号を受けて当該ＩＣカードに情報を書き込みし、また当該ＩＣカードから読み出した情報をコンピュータに送信することを特徴とするＩＣカード用リーダライタ装置。
【請求項２】
リードライトするＩＣカードを選択する切替ボタンと動作表示ランプを備えることを特徴とする請求項１記載のＩＣカード用リーダライタ装置。
【請求項３】
２以上の接触型ＳＩＭを同時に装着可能とする複数の挿入口を有するＳＩＭ用リーダライタ装置であって、装着した複数のＳＩＭの中で、読み書き操作を行うＳＩＭを選択し、コンピュータからの信号を受けて当該ＳＩＭに情報を書き込みし、また当該ＳＩＭから読み出した情報をコンピュータに送信することを特徴とするＳＩＭ用リーダライタ装置。
【請求項４】
リードライトするＳＩＭを選択する切替ボタンと動作表示ランプを備えることを特徴とする請求項３記載のＳＩＭ用リーダライタ装置。
【請求項５】
２以上の接触型ＳＩＭリーダライタを同時に装着可能とする複数のＵＳＢコネクタ挿入口を有するＳＩＭリーダライタ用ソケットであって、装着した複数のＳＩＭリーダライタの中で、読み書き操作を行うＳＩＭリーダライタを選択する切替ボタンを備えることを特徴とするＳＩＭリーダライタ用ソケット。
【請求項６】
動作表示ランプを備えることを特徴とする請求項５記載のＳＩＭリーダライタ用ソケット。
【発明の詳細な説明】
【技術分野】
【０００１】
本発明は、接触型ＩＣカード用リーダライタ装置と接触型ＳＩＭ用リーダライタ装置、ＳＩＭリーダライタ用ソケットに関する。詳しくは、複数のＩＣカード挿入口を有し、装着した複数のＩＣカードを順次読み書き操作できるＩＣカード用リーダライタ装置と、同様に複数のＳＩＭ挿入口を有し装着した複数のＳＩＭを順次操作できる接触型ＳＩＭ用リーダライタ装置と、ＳＩＭ用リーダライタ装置を複数個接続できるＳＩＭリーダライタ用ソケットに関する。
【背景技術】
【０００２】
近年、磁気カードに代り、高いセキュリティー性、大記憶容量の利点からＩＣカードが広範に使用されるようになってきている。それに伴いＩＣカード用リーダライタ装置も各種のものが使用されているが、従来からＩＣカードを装着する挿入口は１つのものが通常である。
【０００３】
また一方、札入れサイズのＩＣカード（ＩＤ−１型）をより縮小したＩＣカードの形態であるＳＩＭ（またはＳＩＭカード）も実用化されてきている。このＳＩＭを装着するＳＩＭリーダライタも通常、１枚のＳＩＭを装着するようにされている。
【０００４】
しかし、近年は個人が複数のＩＣカードを携帯するようになってきている。ＩＣカードが保持する情報を読み取って解析したりＩＣカードにデータを入力する際は、ＩＣカード用リーダライタ装置をパーソナルコンピュータ（以下、「ＰＣ」とする。）に接続し、当該リーダライタ装置のスロットにＩＣカードを挿入して読み書きするのが通常である。
ところで、上記のように個人が複数のＩＣカードを携帯し使用するようになると、用途に応じてその都度ＩＣカードの差し替えを行わなくてはならない。また、ＩＣカード間でデータを交換したり、共通のデータをＩＣカードに書き込みする際に、従来のリーダライタには１つの挿入口（スロット）しかないので、ＩＣカードをスロットから抜いたり差し込んだりして交換する動作が頻繁に必要になる。
【０００５】
このような動作は煩わしく、また書き込み中にＩＣカードを取り違えてしまうことも生じ易い。抜き差しが頻繁になればＩＣカードの接触端子が早期に磨滅してしまう問題も生じる。また、特殊な業務分野、例えば、ＩＣカードに情報や認証証明書を書き込みしたり、それらの読み取りが必要となるＩＣカード関連ソフトウェアの専門分野では、ソフトウェア製品のテストのために、カードの種類やカード内情報により、頻繁にＩＣカードの抜き差しが必要となる。例を挙げて説明すると、ＰＣにＩＣカードリーダライタ装置を接続し、（１）ログオン用のＩＣカードによりＰＣをログオンしてから、別のログオンに使用していないＩＣカードを挿入してログオンを試みるテストや、（２）認証証明書が０枚格納された状態のＩＣカードを準備して、あるテストが期待どおりの動きをするか、認証証明書が１枚や２枚格納された状態でも同じ結果になるかのテストや、（３）あるいはクライアントカードから管理者用カードに差し替えて管理者用カードからクライアントカードの更新が正しく行われるかなどのテスト、を行う等の際に抜き差しが多くなる。
【０００６】
リーダライタが複数のＩＣカードを装着できる挿入口（スロット）を複数有すれば、この問題が解決されると考えられる。複数スロットのＩＣカードリーダライタに関する先行文献に特許文献１がある。この文献に記載されるリーダライタは、主として接触型ＩＣカードと非接触型ＩＣカード間で同時にデータ交換することを目的とするもので、輻輳制御機能を働かせて２以上のＩＣカードを同時にリードライト操作することとしている。
しかし、目的によってはＩＣカードを同時に読み書きする必要はなく、却って順次操作が好ましい場合もある。特許文献２、特許文献３は、ＳＩＭ用リーダライタ装置を示す例であるが、やはり単一の挿入口を有している。
【０００７】
【特許文献１】特開２００３−２７１９００号公報
【特許文献２】特開２００４−２６４９１５号公報
【特許文献３】特開２００４−２６４９１６号公報
【０００８】
ところで、ＩＣカード用リーダライタ装置は、ＩＣカードが保持する情報をコンタクト端子を介して読み取りし、あるいは、ＩＣカードに情報を書き込みする装置である。
ＩＣカード用リーダライタ装置では、当該装置自体が読み取りした情報を表示したり、書き込みデータを演算して送信する装置もあるが、多くの場合、ＰＣ等に接続し、データ処理はＰＣ側でされる場合が多い。したがって、この後者の場合のＩＣカード用リーダライタ装置は、コンタクト端子を介して所定のフォーマットでデータを中継することと、ＩＣカードに電力を供給することを行う。
【０００９】
一方、接触型ＩＣカードは従来から、図７に示すように、カード基体１００にＩＣモジュール埋設用凹部１２５を掘削し、当該凹部内にＩＣモジュール４を嵌合して装着した形態になっている（図７（Ｂ））。ＩＣモジュール４は、図７（Ａ）または（Ｂ）のように、いわゆるＣＯＢ（Ｃｈｉｐ  Ｏｎ  Ｂｏａｒｄ）形態のＩＣモジュールである。その構成は、基板１０１の双方の面に銅箔層１０６を設け、その銅箔層１０６部分に、下地メッキとしてのＮｉメッキ層１０７を介して金メッキ層１０８を施し、基板１０１の一方の外面側を接触端子板１１０とし、他方の内面側を配線基板１２０として使用している。
接触端子板１１０は、Ｖｃｃ（電源）ライン、ＲＳＴ（リセット）ライン、ＣＬＫ（クロック）ライン、ＧＮＤ（グランド）ライン、Ｉ／Ｏライン、等用の各端子部１０２を持ち、前記各端子部１０２と基板１０１の他方の面に搭載したＩＣチップ（半導体素子）３の各端子と配線基板１２０との間をワイヤ１０４を介して電気的に接続し、ＩＣチップ側を樹脂１０５にて封止した構成となっている。なお、基板１０１の表裏の銅箔部の電気的な導通はスルーホール１０９を介してなされている。
【００１０】
ＩＣカード用リーダライタ装置は、上記ＩＣカードの各端子部１０２にコンタクトピンを接触させ、Ｖｃｃ（電源）、ＲＳＴ（リセット）信号を供給し、Ｉ／Ｏラインを通じてＩＣカードの内部メモリにアクセスし、情報（データ）の書き込みまたは読み出し処理を行う装置である。従来のＩＣカード用リーダライタ装置は、駆動系、搬送系などをもつ高価な装置となっていたが、近年のＩＣカード用リーダライタ装置は手差し式等になり、機構の簡易化が図られている。
【００１１】
ＳＩＭ（Ｓｕｂｓｃｒｉｂｅｒ  Ｉｄｅｎｔｉｔｙ  Ｍｏｄｕｌｅ）またはＵＩＭ（Ｕｓｅｒ  Ｉｄｅｎｔｉｔｙ  Ｍｏｄｕｌｅ）は、携帯電話会社が発行する契約者情報を記録した小型のＩＣカードであって、携帯電話機に組み込んで利用者の識別に使用するセキュリティーＩＤモジュールのことである。ＵＩＭはＳＩＭから機能拡張が行われたもので、契約者情報以外に電話帳などのプライベート情報やクレジット決済用の個人情報などを暗号化して登録することが可能となっている。ＳＩＭをベースにしていることからＵＳＩＭ（Ｕｎｉｖｅｒｓａｌ  ＳＩＭ）と呼ばれることもある。
本願明細書では、ＵＩＭやＳＩＭ、あるいはＵＳＩＭを含めた小型のＩＣカードをＳＩＭと総称するものとする。
【００１２】
このＳＩＭのサイズは、１５．０ｍｍ×２５．０ｍｍの薄板状のものであり、厚みはＩＣカードと同一の０．７６ｍｍを基準としている。ＳＩＭは外形形状が縮小されているが接触端子部分の寸法と構成は接触型ＩＣカードと同一の基準を採用している。したがって、ＳＩＭリーダライタ装置の構成も接触型ＩＣカードと同様のものである。
近年、ＳＩＭを携帯電話以外の用途のＩＤモジュールとして使用することが研究され、ＳＩＭ専用のリーダライタ装置も各種提案されている。
【００１３】
図６は、特許文献２等のＳＩＭ用リーダライタ装置を示す図である。図６（Ａ）は外観図、図６（Ｂ）は図６（Ａ）のＡ−Ａ線断面を示している。
図６では、ＳＩＭ用リーダライタ装置２０の上面に液晶ディスプレイ７を備えているが必須の構成ではない。右端部にＳＩＭ２の挿入口２１を有し、左端部にＵＳＢコネクタ６を有している。ＳＩＭ２はこの挿入口２１の段部２７に沿って挿入され、図６（Ｂ）のように、リーダライタ装置内のコンタクト端子２２とＳＩＭ２の端子が接触する位置で停止するようにされている。この位置でＳＩＭ２の接触端子２０２とコンタクト端子２２のピンが接触し、両者間で書き込み読み取り操作が行われる。リードライト後は、押し出し機構（不図示）によりＳＩＭ２は排出される。スイッチボタン４１，４２，４３は表示動作選択等のために用いられる。なお、ＳＩＭ２が切り欠き部２ｋを有するのは機器内で正しい位置に装着されるようにするためのものである。
【００１４】
ＳＩＭから読み出し、またＳＩＭに対して書き込みするデータは、ＩＳＯ７８１６フォーマットのものであり、ＰＣにはＵＳＢ（Ｕｎｉｖｅｒｓａｌ  Ｓｅｒｉａｌ  Ｂｕｓ）規格で送信するので、ＵＳＢとＩＳＯ７８１６規格との間で変換して送受信する必要がある。その変換処理のためにＵＳＢ／ＩＳＯ７８１６変換ＩＣが用いられる。
このようなＳＩＭリーダライタ装置２０であっても多数のＳＩＭを処理する場合には、ＳＩＭの抜き差し操作が頻繁になり、ＩＣカードと同様に手間がかかる問題がある。
【発明の開示】
【発明が解決しようとする課題】
【００１５】
従来のＩＣカード用リーダライタ装置やＳＩＭ用リーダライタ装置は、ＩＣカードやＳＩＭの装着スロットが１個のみであるため、多数のＩＣカードやＳＩＭに各種処理を施す場合に、ＩＣカードやＳＩＭの抜き差し操作が頻繁に必要となり、円滑な処理ができない問題があった。そこで、本発明ではこのような問題を生じないＩＣカード用またはＳＩＭ用リーダライタ装置等を完成すべく研究してなされたものである。
【課題を解決するための手段】
【００１６】
上記課題を解決する本発明の要旨の第１は、２以上の接触型ＩＣカードを同時に装着可能とする複数の挿入口を有するＩＣカード用リーダライタ装置であって、装着した複数のＩＣカードの中で、読み書き操作を行うＩＣカードを選択し、コンピュータからの信号を受けて当該ＩＣカードに情報を書き込みし、また当該ＩＣカードから読み出した情報をコンピュータに送信することを特徴とするＩＣカード用リーダライタ装置、にある。
【００１７】
上記課題を解決する本発明の要旨の第２は、２以上の接触型ＳＩＭを同時に装着可能とする複数の挿入口を有するＳＩＭ用リーダライタ装置であって、装着した複数のＳＩＭの中で、読み書き操作を行うＳＩＭを選択し、コンピュータからの信号を受けて当該ＳＩＭに情報を書き込みし、また当該ＳＩＭから読み出した情報をコンピュータに送信することを特徴とするＳＩＭ用リーダライタ装置、にある。
【００１８】
上記課題を解決する本発明の要旨の第３は、２以上の接触型ＳＩＭリーダライタを同時に装着可能とする複数のＵＳＢコネクタ挿入口を有するＳＩＭリーダライタ用ソケットであって、装着した複数のＳＩＭリーダライタの中で、読み書き操作を行うＳＩＭリーダライタを選択する切替ボタンを備えることを特徴とするＳＩＭリーダライタ用ソケット、にある。
【発明の効果】
【００１９】
本発明のＩＣカード用リーダライタ装置は、複数のＩＣカード挿入口を有するので、装着した複数のＩＣカードに対して各種情報を順次反復して書き込みし、読み取りする場合にも挿入口からＩＣカードを抜き差しする必要が少なくなる。従って、多数のＩＣカードを処理する場合の時間を短縮できる。
本発明のＳＩＭ用リーダライタ装置は、複数のＳＩＭ挿入口を有するので、装着した複数のＳＩＭに対して各種情報を順次反復して書き込みし、読み取りする場合にも挿入口からＳＩＭを抜き差しする必要が少なくなる。従って、多数のＳＩＭを処理する場合の時間を短縮できる。
【００２０】
上記リーダライタ装置ではＩＣカード関連ソフトウェア製品のテスト時間を短縮でき、自動化テストとの連動も可能となる。ＩＣカードテスト作業者の負担を軽減できる。複数ＩＣカードの異なる証明書を切り替えて使う場合など、利用者の利便性が向上する。
本発明のＳＩＭリーダライタ用ソケットは、複数のＵＳＢコネクタ挿入口を有するので、装着した複数のＳＩＭリーダライタに対して各種情報を順次反復して書き込みし、読み取りする場合にも挿入口からＳＩＭリーダライタを抜き差しする必要が少なくなる。従って、多数のＳＩＭを処理する場合の時間を短縮できる。
【発明を実施するための最良の形態】
【００２１】
以下、本発明を図面を参照して説明する。図１は、本発明のＩＣカード用リーダライタ装置の回路構成を示す図、図２は、本発明のＩＣカード用リーダライタ装置の外観図、図３は、本発明のＳＩＭ用リーダライタ装置の外観図、図４は、本発明のＳＩＭリーダライタ用ソケットの回路構成を示す図、図５は、本発明のＳＩＭリーダライタ用ソケットの外観図、である。
【００２２】
本発明のＩＣカード用リーダライタ装置の回路構成は、図１のように、ＵＳＢハブ装置８を介して、ＵＳＢコネクタ６からの信号が複数のコンタクト端子１２ａ，１２ｂ，・，１２ｎに分岐する構成になっている。コンタクト端子１２ａ，１２ｂ，・，１２ｎには挿入されたＩＣカードの各接触端子１０２ａ，１０２ｂ，・，１０２ｎが接触する。ＵＳＢハブ装置８からのＵＳＢケーブル９の他端はＵＳＢコネクタ６によりＰＣに接続する。
ハブ装置８からの分岐線はＵＳＢ／ＩＳＯ７８１６変換ＩＣチップ５を介してコンタクト端子１２に接続するが、その分岐線にはＬＥＤ等の動作表示ランプ１４を設けることができる。コンタクト端子１２にはコンタクトピンが突出していて（図１のコンタクト端子１２の裏面側）、端子の下面に挿入されるＩＣカード２の接触端子１０２と接触することは既述のとおりである。
【００２３】
ＵＳＢケーブルはホストと周辺機器を接続するため、５つの電気信号を供給する。それはＶＢＵＳ，ＧＮＤ，Ｄ＋，Ｄ−，シールドである。Ｄ＋とＤ−は差動型のデータ信号線となる。ＶＢＵＳは電源ラインであり最大５００ｍＡの電流を電圧＋５Ｖで供給できるが、ホストに許可されるまでは周辺機器の電流を１００ｍＡ以下に抑える必要がある。
ＧＮＤはＤ＋とＤ−のリファレンス電圧であり、またＶＢＵＳに対する接地ラインともなる。
【００２４】
切替ボタン１３は通常は「オフ」状態であり、切替ボタン１３を押した際に「オン」状態になる。あるいはリレー等の操作により、１の回路を選択した際は他の回路は切断されるようにしてもよい。これにより選択した１のＩＣカードに対してのみ電力が供給され、信号が流れるようにされる。動作表示ランプ１４はケーブルに電力が供給されている際、あるいは読み取り書き込み信号が流れている際、に点灯して動作表示するようにする。
このような回路構成は、ＳＩＭ用リーダライタ装置の場合も同様であるので、当該装置についての説明は省略する。
【００２５】
図２は、本発明のＩＣカード用リーダライタ装置の外観図である。
本発明の接触型ＩＣカード用リーダライタ装置１０は、図２のように、外観的には複数のＩＣカード挿入口１１を有するリーダライタが連結した函体１０ｂとなる。図２の場合は、３枚のＩＣカード１を装着できるように３個の挿入口１１を有するように図示しているが、挿入口の数は２以上であれば幾つであっても構わない。ＵＳＢは、ひとつのホスト（ＰＣ）に対して、最大６分岐までのハブ（集線装置）を介して最大１２７台のデバイスをツリー型に接続できる、とされているのでほぼ制限なく接続できるが、６台程度までの接続であれば簡単な構造にでき使い易いと考えられる。切替ボタン１３は函体１０ｂの表面側の１カ所に並べて設けてもよいし、各挿入口１１部分に分散して設けても構わない。動作表示ランプ１４は各挿入口１１部分に設けるのが動作中のスロットを明確にすることから好ましい。
札入れサイズ（ＩＤ−１型）大のカードサイズは通常、８５．６×５４．０ｍｍであり、カードの標準厚みは０．７６ｍｍとされているので、挿入口１１は５４．０ｍｍのカードの短辺が挿入できる大きさにする。
【００２６】
函体１０ｂ内には、各挿入口１１に対応するコンタクト端子１２がそれぞれ設けられている。各コンタクト端子１２には、８本ないし８本未満のコンタクトピンがＩＣカード１の接触端子１０２に接触するようにされている。通常は、Ｖｃｃ（電源）、ＲＳＴ（リセット）、ＣＬＫ（クロック）、ＧＮＤ（グランド）、Ｉ／Ｏの５端子のピンが接続するようにされる。コンタクトピンは弾性金属材料により形成されているので、ＩＣカードが挿入された状態でＩＣカード１の接触端子１０２との良好な接触が得られる。
【００２７】
図３は、本発明のＳＩＭ用リーダライタ装置の外観図である。
本発明のＳＩＭ用リーダライタ装置２０は、図３のように、外観的には複数のＳＩＭ挿入口２１を有する函体２０ｂである。図３の場合は、６枚のＳＩＭ２を装着できるように６段の挿入口２１を有するように図示しているが、挿入口２１の数は２以上であれば幾つであっても構わない。図示してないが、ＳＩＭ用リーダライタ装置２０の各段挿入口内には、各段毎にコンタクト端子が設けられ、そのコンタクトピンがＳＩＭ２の接触端子２０２と接触するようにされている。切替ボタン２３が最表面に設けられ、動作表示ランプ２４は、各段の挿入口２１部分に設けられている。このＳＩＭ用リーダライタ装置２０もＵＳＢケーブル９とＵＳＢコネクタ６によりＰＣに接続して使用する。
【００２８】
図４は、本発明のＳＩＭリーダライタ用ソケットの回路構成を示す図である。
ＳＩＭリーダライタ用ソケットとは、単一スロットのＳＩＭ用リーダライタ２０を複数台接続できるようにＵＳＢ受けソケット３１を複数個備えた装置のことである。
ＳＩＭリーダライタ用ソケットの場合は、ＵＳＢ／ＩＳＯ７８１６変換はリーダライタ側で行われるので、ソケットにはＵＳＢケーブルの分岐構造と切替ボタン３３を持たせれば良い。動作表示ランプをさらに備えていてもよい。ただし、通常はリーダライタ側で表示することが多い。
【００２９】
図５は、本発明のＳＩＭリーダライタ用ソケット３０の外観図である。図５の場合、５個のＵＳＢ受けソケット３１を備えているが、前記のように受けソケット数は２個以上であれば、特に限定されるものではない。この受けソケット３１に従来型の単一スロットからなるＳＩＭ用リーダライタ２０を複数台接続して、リードライト操作を行う。作業中は切替ボタン３３を押してリードライトするＳＩＭ２が装着されているＳＩＭ用リーダライタ２０を選択できる。
【００３０】
本発明のＳＩＭリーダライタ用ソケット３０は、ＳＩＭ用リーダライタ２０に接続する場合に限らず、各種のＵＳＢ機器にも使用できることは当業者には自明のことである。
本発明のリーダライタ装置またはリーダライタ用ソケットは、ソフトウェアとの組合せによりＩＣカードやＳＩＭの自動化テスト用として使うことも将来的には可能となる。
【図面の簡単な説明】
【００３１】
【図１】本発明のＩＣカード用リーダライタ装置の回路構成を示す図である。
【図２】本発明のＩＣカード用リーダライタ装置の外観図である。
【図３】本発明のＳＩＭ用リーダライタ装置の外観図である。
【図４】本発明のＳＩＭリーダライタ用ソケットの回路構成を示す図である。
【図５】本発明のＳＩＭリーダライタ用ソケットの外観図である。
【図６】特許文献２等のＳＩＭ用リーダライタ装置を示す図である。
【図７】ＩＣモジュールの平面とＩＣモジュールの埋め込まれたカード基体の断面を示す図である。
【符号の説明】
【００３２】
１  ＩＣカード
２  ＳＩＭ
３  ＩＣチップ
４  ＩＣモジュール
５  ＵＳＢ／ＩＳＯ７８１６変換ＩＣチップ
６  ＵＳＢコネクタ
７  液晶ディスプレイ
８  ＵＳＢハブ装置
９  ＵＳＢケーブル
１０  ＩＣカード用リーダライタ装置
１１  挿入口
１２  コンタクト端子
１３  切替ボタン
１４  動作表示ランプ
２０  ＳＩＭ用リーダライタ装置
２１  挿入口
２２  コンタクト端子
２３  切替ボタン
２４  動作表示ランプ
２７  段部
３０  ＳＩＭリーダライタ用ソケット
３１  ＵＳＢ受けソケット
３３  切替ボタン
【図１】
2006235892.tif 000003
【図２】
2006235892.tif 000004
【図３】
2006235892.tif 000005
【図４】
2006235892.tif 000006
【図５】
2006235892.tif 000007
【図６】
2006235892.tif 000008
【図７】
2006235892.tif 000009